(57)【要約】【課題】ユーザが紙種の名前を任意に変更でき、かつひとつの紙種ＩＤに複数の名前を付けることを可能にすることで、使用環境に応じて名前の切り替えを可能にする画像形成装置、プログラム及び記録媒体を提供することを目的とする。【解決手段】紙種に付けられた名称と該名称を表示する表示言語とを複数の紙種ごとに記憶した第１のテーブルと表示言語を切り替える際に、第１のテーブルを参照して切り替えた言語に対応してつけられた名称を取得し、切り替えた言語で名称を前記表示部に表示する表示切替手段とを有することを特徴とする。【選択図】図５
2007245429.tif 000002
【特許請求の範囲】
【請求項１】
操作内容を表示する表示部を有する画像形成装置において、
紙種に付けられた名称と該名称を表示する表示言語とを複数の紙種ごとに記憶した第１のテーブルと
前記表示言語を切り替える際に、前記第１のテーブルを参照して切り替えた言語に対応してつけられた名称を取得し、前記切り替えた言語で前記名称を前記表示部に表示する表示切替手段とを有することを特徴とする画像形成装置。
【請求項２】
前記画像形成装置は、複数の情報処理端末と通信回線を介して接続されており、
前記情報処理端末が使用する表示言語を検知する検知手段を有し、
前記検知手段の検知結果から前記第１のテーブルを参照して、検知した表示言語に対応した名称を前記情報処理装置へ送信することを特徴とする請求項１記載の画像形成装置。
【請求項３】
予め画像形成装置に登録されたユーザＩＤを検知するユーザ検知手段と、
前記ユーザＩＤに対応してつけられた表示言語を記憶した第２のテーブルとを有し、
前記ユーザ検知手段の検知結果から、前記第２のテーブルを参照して、前記ユーザＩＤに対応する表示言語を取得し、前記第１のテーブルから前記取得した表示言語に対応する名称を前記表示部に表示することを特徴とする請求項１記載の画像形成装置。
【請求項４】
前記情報処理装置のＩＰアドレスを検知するＩＰアドレス検知手段と、
前記ＩＰアドレスに対応してつけられたユーザＩＤを記憶した第３のテーブルを有し、
前記情報処理装置から前記画像形成装置へ送信されたＩＰアドレスを前記ＩＰアドレス検知手段が検知し、前記第３のテーブルを参照して、検知した前記ＩＰアドレスから前記ユーザＩＤを取得し、前記第２のテーブルを参照して、前記ユーザＩＤに対応する表示言語を取得し、第１のテーブルを参照して、前記表示言語に対応する名称を取得し、前記情報処理装置へ取得した名称を送信することを特徴とする請求項１から３のいずれか１項に記載の画像形成装置。
【請求項５】
操作内容を表示する表示手段と、
紙種に付けられた名称と該名称を表示する表示言語とを複数の紙種ごとに記憶した第１のテーブルと、
前記表示言語を切り替える表示切替手段とを有し、画像形成装置を制御するコンピュータに、
前記表示言語を切り替える際に、前記第１のテーブルを参照して切り替えた言語に対応してつけられた名称を取得し、前記表示切替手段が前記切り替えた言語で前記名称を前記表示手段に表示する機能を実現させるためのプログラム。
【請求項６】
操作内容を表示する表示手段と、
紙種に付けられた名称と該名称を表示する表示言語とを複数の紙種ごとに記憶した第１のテーブルと、
前記表示言語を切り替える表示切替手段とを有し、画像形成装置を制御するコンピュータに、
前記表示言語を切り替える際に、前記第１のテーブルを参照して切り替えた言語に対応してつけられた名称を取得し、前記表示切替手段が前記切り替えた言語で前記名称を前記表示手段に表示する機能を実現させるためのプログラムを記録したコンピュータ読み取り可能な記録媒体。
【請求項７】
操作内容を表示する表示手段と、
紙種に付けられた名称と該名称を表示する表示言語とを複数の紙種ごとに記憶した第１のテーブルと、
前記表示言語を切り替える表示切替手段と、
表示言語を検知する検知手段とを有し、複数の情報処理端末と通信回線を介して接続された画像形成装置を制御するコンピュータに、
前記検知手段の検知結果から前記第１のテーブルを参照して、検知した表示言語に対応した名称を前記情報処理装置へ送信する機能を実現させるためのプログラム。
【請求項８】
操作内容を表示する表示手段と、
紙種に付けられた名称と該名称を表示する表示言語とを複数の紙種ごとに記憶した第１のテーブルと、
前記表示言語を切り替える表示切替手段と、
前記表示言語を検知する検知手段とを有し、複数の情報処理端末と通信回線を介して接続された画像形成装置を制御するコンピュータに、
前記検知手段の検知結果から前記第１のテーブルを参照して、検知した表示言語に対応した名称を前記情報処理装置へ送信する機能を実現させるためのプログラムを記録したコンピュータ読み取り可能な記録媒体。
【請求項９】
操作内容を表示する表示手段と、
紙種に付けられた名称と該名称を表示する表示言語とを複数の紙種ごとに記憶した第１のテーブルと、
前記表示言語を切り替える表示切替手段と、
予め画像形成装置に登録されたユーザＩＤを検知するユーザ検知手段とを有し、複数の情報処理端末と通信回線を介して接続された画像形成装置を制御するコンピュータに、
前記ユーザＩＤに対応してつけられた表示言語を記憶した第２のテーブルとを有し、
前記ユーザ検知手段の検知結果から、前記第２のテーブルを参照して、前記ユーザＩＤに対応する表示言語を取得し、前記第１のテーブルから前記取得した表示言語に対応する名称を前記表示部に表示する機能を実現するためのプログラム。
【請求項１０】
操作内容を表示する表示手段と、
紙種に付けられた名称と該名称を表示する表示言語とを複数の紙種ごとに記憶した第１のテーブルと、
前記表示言語を切り替える表示切替手段と、
予め画像形成装置に登録されたユーザＩＤを検知するユーザ検知手段とを有し、複数の情報処理端末と通信回線を介して接続された画像形成装置を制御するコンピュータに、
前記ユーザＩＤに対応してつけられた表示言語を記憶した第２のテーブルとを有し、
前記ユーザ検知手段の検知結果から、前記第２のテーブルを参照して、前記ユーザＩＤに対応する表示言語を取得し、前記第１のテーブルから前記取得した表示言語に対応する名称を前記表示部に表示する機能を実現するためのプログラムを記録したコンピュータ読み取り可能な記録媒体。
【請求項１１】
操作内容を表示する表示手段と、
紙種に付けられた名称と該名称を表示する表示言語とを複数の紙種ごとに記憶した第１のテーブルと、
前記表示言語を切り替える表示切替手段と、
前記情報処理装置のＩＰアドレスを検知するＩＰアドレス検知手段とを有し、複数の情報処理端末と通信回線を介して接続された画像形成装置を制御するコンピュータに、
前記ＩＰアドレスに対応してつけられたユーザＩＤを記憶した第３のテーブルを有し、
前記情報処理装置から前記画像形成装置へ送信されたＩＰアドレスを前記ＩＰアドレス検知手段が検知し、前記第３のテーブルを参照して、検知した前記ＩＰアドレスから前記ユーザＩＤを取得し、前記第２のテーブルを参照して、前記ユーザＩＤに対応する表示言語を取得し、第１のテーブルを参照して、前記表示言語に対応する名称を取得し、前記情報処理装置へ取得した名称を送信する機能を実現するためのプログラム。
【請求項１２】
操作内容を表示する表示手段と、
紙種に付けられた名称と該名称を表示する表示言語とを複数の紙種ごとに記憶した第１のテーブルと、
前記表示言語を切り替える表示切替手段と、
前記情報処理装置のＩＰアドレスを検知するＩＰアドレス検知手段と、
を有し、複数の情報処理端末と通信回線を介して接続された画像形成装置を制御するコンピュータに、
前記ＩＰアドレスに対応してつけられたユーザＩＤを記憶した第３のテーブルを有し、
前記情報処理装置から前記画像形成装置へ送信されたＩＰアドレスを前記ＩＰアドレス検知手段が検知し、前記第３のテーブルを参照して、検知した前記ＩＰアドレスから前記ユーザＩＤを取得し、前記第２のテーブルを参照して、前記ユーザＩＤに対応する表示言語を取得し、第１のテーブルを参照して、前記表示言語に対応する名称を取得し、前記情報処理装置へ取得した名称を送信する機能を実現するためのプログラムを記録したコンピュータ読み取り可能な記録媒体。
【発明の詳細な説明】
【技術分野】
【０００１】
本発明は、画像形成装置、プログラム及び記録媒体に関する。
【背景技術】
【０００２】
従来のプリンタ及び複写機等の画像形成装置は、広く普及するに伴って、ネットワーク環境下で使用されるようになってきており、ネットワークに接続された複数のユーザの端末で共有して使用されることが多くなってきている。このような環境下においては、画像形成装置は、使用される紙種が増えてきている。
【０００３】
そして、画像形成装置には、紙種ごとに用意された給紙トレイがセットされており、ユーザが画像形成に適切な紙種を選択することで、画像形成処理を行っている。
【０００４】
また、特許文献１には、選択手段により複数の用紙サイズ設定から、所望の、用紙サイズに関連付けられた第１の用紙サイズ設定を選択することにより、各種規格による用紙サイズとは異なる任意の用紙サイズの印刷用紙を使用して、印刷装置により印刷を行うことができるため、従来のような規格サイズの定型とは異なる、不定型の印刷用紙による印刷が可能になることから、多種多様な用紙サイズの印刷用紙を使用して印刷を行うことができる。そのため、ユーザが任意の用紙サイズを容易に設定できるという構成が開示されている。
【特許文献１】特開２００４−２１０４４３号公報
【発明の開示】
【発明が解決しようとする課題】
【０００５】
しかしながら、特許文献１の発明では、ユーザが任意の用紙サイズを用意に設定できるものであるが、ユーザに応じて紙種に独自の名前を付け、紙種の情報（紙厚、既定紙種、制限機能）を設けているわけではなく、ユーザは、使用用途に応じた機能設定をサポートしきれていないのが現状である。
【０００６】
本発明は、係る問題に鑑みてなされたものであり、ユーザが紙種の名前を任意に変更でき、かつひとつの紙種ＩＤに複数の名前を付けることを可能にすることで、使用環境に応じて名前の切り替えを可能にする画像形成装置、プログラム及び記録媒体を提供することを目的とする。
【課題を解決するための手段】
【０００７】
上記目的を達成するために、請求項１記載の画像形成装置は、操作内容を表示する表示部を有する画像形成装置において、紙種に付けられた名称と該名称を表示する表示言語とを複数の紙種ごとに記憶した第１のテーブルと表示言語を切り替える際に、第１のテーブルを参照して切り替えた言語に対応してつけられた名称を取得し、切り替えた言語で名称を表示部に表示する表示切替手段とを有することを特徴とする。
【０００８】
請求項２記載の発明は、請求項１記載の画像形成装置であって、画像形成装置は、複数の情報処理端末と通信回線を介して接続されており、情報処理端末が使用する表示言語を検知する検知手段を有し、検知手段の検知結果から第１のテーブルを参照して、検知した表示言語に対応した名称を情報処理装置へ送信することを特徴とする。
【０００９】
請求項３記載の発明は、請求項１記載の画像形成装置であって、予め画像形成装置に登録されたユーザＩＤを検知するユーザ検知手段と、ユーザＩＤに対応してつけられた表示言語を記憶した第２のテーブルとを有し、ユーザ検知手段の検知結果から、第２のテーブルを参照して、ユーザＩＤに対応する表示言語を取得し、第１のテーブルから取得した表示言語に対応する名称を表示部に表示することを特徴とする。
【００１０】
請求項４記載の画像形成装置は、情報処理装置のＩＰアドレスを検知するＩＰアドレス検知手段と、ＩＰアドレスに対応してつけられたユーザＩＤを記憶した第３のテーブルを有し、情報処理装置から画像形成装置へ送信されたＩＰアドレスをＩＰアドレス検知手段が検知し、第３のテーブルを参照して、検知したＩＰアドレスからユーザＩＤを取得し、第２のテーブルを参照して、ユーザＩＤに対応する表示言語を取得し、第１のテーブルを参照して、表示言語に対応する名称を取得し、情報処理装置へ取得した名称を送信することを特徴とする。
【００１１】
請求項５記載の発明は、操作内容を表示する表示手段と、紙種に付けられた名称と該名称を表示する表示言語とを複数の紙種ごとに記憶した第１のテーブルと、表示言語を切り替える表示切替手段とを有し、画像形成装置を制御するコンピュータに、表示言語を切り替える際に、第１のテーブルを参照して切り替えた言語に対応してつけられた名称を取得し、表示切替手段が切り替えた言語で名称を表示手段に表示する機能を実現させるためのプログラムである。
【００１２】
請求項６記載の発明は、操作内容を表示する表示手段と、紙種に付けられた名称と該名称を表示する表示言語とを複数の紙種ごとに記憶した第１のテーブルと、表示言語を切り替える表示切替手段とを有し、画像形成装置を制御するコンピュータに、表示言語を切り替える際に、第１のテーブルを参照して切り替えた言語に対応してつけられた名称を取得し、表示切替手段が切り替えた言語で名称を表示手段に表示する機能を実現させるためのプログラムを記録したコンピュータ読み取り可能な記録媒体である。
【００１３】
請求項７記載の発明は、操作内容を表示する表示手段と、紙種に付けられた名称と該名称を表示する表示言語とを複数の紙種ごとに記憶した第１のテーブルと、表示言語を切り替える表示切替手段と、表示言語を検知する検知手段とを有し、複数の情報処理端末と通信回線を介して接続された画像形成装置を制御するコンピュータに、検知手段の検知結果から第１のテーブルを参照して、検知した表示言語に対応した名称を情報処理装置へ送信する機能を実現させるためのプログラムである。
【００１４】
請求項８記載の発明は、操作内容を表示する表示手段と、紙種に付けられた名称と該名称を表示する表示言語とを複数の紙種ごとに記憶した第１のテーブルと、表示言語を切り替える表示切替手段と、表示言語を検知する検知手段とを有し、複数の情報処理端末と通信回線を介して接続された画像形成装置を制御するコンピュータに、検知手段の検知結果から第１のテーブルを参照して、検知した表示言語に対応した名称を情報処理装置へ送信する機能を実現させるためのプログラムを記録したコンピュータ読み取り可能な記録媒体である。
【００１５】
請求項９記載の発明は、操作内容を表示する表示手段と、紙種に付けられた名称と該名称を表示する表示言語とを複数の紙種ごとに記憶した第１のテーブルと、表示言語を切り替える表示切替手段と、予め画像形成装置に登録されたユーザＩＤを検知するユーザ検知手段とを有し、複数の情報処理端末と通信回線を介して接続された画像形成装置を制御するコンピュータに、ユーザＩＤに対応してつけられた表示言語を記憶した第２のテーブルとを有し、ユーザ検知手段の検知結果から、第２のテーブルを参照して、ユーザＩＤに対応する表示言語を取得し、第１のテーブルから取得した表示言語に対応する名称を表示部に表示する機能を実現するためのプログラムである。
【００１６】
請求項１０記載の発明は、操作内容を表示する表示手段と、紙種に付けられた名称と該名称を表示する表示言語とを複数の紙種ごとに記憶した第１のテーブルと、表示言語を切り替える表示切替手段と、予め画像形成装置に登録されたユーザＩＤを検知するユーザ検知手段とを有し、複数の情報処理端末と通信回線を介して接続された画像形成装置を制御するコンピュータに、ユーザＩＤに対応してつけられた表示言語を記憶した第２のテーブルとを有し、ユーザ検知手段の検知結果から、第２のテーブルを参照して、ユーザＩＤに対応する表示言語を取得し、第１のテーブルから取得した表示言語に対応する名称を表示部に表示する機能を実現するためのプログラムを記録したコンピュータ読み取り可能な記録媒体である。
【００１７】
請求項１１記載の発明は、操作内容を表示する表示手段と、紙種に付けられた名称と該名称を表示する表示言語とを複数の紙種ごとに記憶した第１のテーブルと、表示言語を切り替える表示切替手段と、情報処理装置のＩＰアドレスを検知するＩＰアドレス検知手段とを有し、複数の情報処理端末と通信回線を介して接続された画像形成装置を制御するコンピュータに、ＩＰアドレスに対応してつけられたユーザＩＤを記憶した第３のテーブルを有し、情報処理装置から画像形成装置へ送信されたＩＰアドレスをＩＰアドレス検知手段が検知し、第３のテーブルを参照して、検知したＩＰアドレスからユーザＩＤを取得し、第２のテーブルを参照して、ユーザＩＤに対応する表示言語を取得し、第１のテーブルを参照して、表示言語に対応する名称を取得し、情報処理装置へ取得した名称を送信する機能を実現するためのプログラムである。
【００１８】
請求項１２記載の発明は、操作内容を表示する表示手段と、紙種に付けられた名称と該名称を表示する表示言語とを複数の紙種ごとに記憶した第１のテーブルと、表示言語を切り替える表示切替手段と、情報処理装置のＩＰアドレスを検知するＩＰアドレス検知手段と、を有し、複数の情報処理端末と通信回線を介して接続された画像形成装置を制御するコンピュータに、ＩＰアドレスに対応してつけられたユーザＩＤを記憶した第３のテーブルを有し、情報処理装置から画像形成装置へ送信されたＩＰアドレスをＩＰアドレス検知手段が検知し、第３のテーブルを参照して、検知したＩＰアドレスからユーザＩＤを取得し、第２のテーブルを参照して、ユーザＩＤに対応する表示言語を取得し、第１のテーブルを参照して、表示言語に対応する名称を取得し、情報処理装置へ取得した名称を送信する機能を実現するためのプログラムを記録したコンピュータ読み取り可能な記録媒体である。
【発明の効果】
【００１９】
本発明によれば、紙種に付けられた名称を複数のユーザの使用環境に応じて、表示言語を切り替えることが可能である。
【発明を実施するための最良の形態】
【００２０】
次に、図面を参照して、本実施形態について説明する。
図１は、本実施形態に係る情報処理装置１００と画像形成装置２００との関係を示した図であり、図２は、画像形成装置の構成を示した図であり、図３は、情報処理装置１００の構成を示した図である。
情報処理装置１００と画像形成装置２００はＬＡＮ等の通信回線を介して接続されている。画像形成装置２００は、図２に示すように、操作部２０１とユーザインタフェース制御部２０２、記憶部２０３、通信制御部２０４、ＬＡＮ２０５、印刷制御部２０６、画像形成制御部２０７、機器情報管理部２０８から構成されている。
【００２１】
また、情報処理装置１００は、表示部１０１、通信子制御部１０２、表示制御部１０３、印刷データ作成部１０４から構成されている。
【００２２】
次に、図４（ａ）〜（ｃ）に示すテーブルについて説明する。
図４（ａ）に示すテーブルは、紙種ＩＤと複数の言語との組み合わせに名称、既定紙種、紙厚、機能制限を対応付けたテーブルであり、図４（ｃ）は、ユーザＩＤと言語を対応つけたテーブルであり、図４（ｃ）は、ＩＰアドレスとユーザＩＤとを対応つけたテーブルである。
【００２３】
次に、図５〜図８を参照して、画像形成装置の処理動作を説明する。
図５に示すように、まず、操作部２０１にて、言語切り替えを行う（ステップＳ１００）。ユーザは、現在操作部２０１が有する操作パネル（図示せず）に表示されている表示言語（例えばＪＰ）から別の表示言語（例えば、ＵＳ）に切り替えた場合、記憶部２０３に記憶されている図４（ａ）のテーブルを参照して、切り替えた言語に対応する名称を取得する（ステップＳ１０１）。図４（ａ）に示すテーブルから、例えば、紙種ＩＤ：１であれば、「カスタム１」から紙種ＩＤ：２の「Custom2」へと操作パネルに取得した名称を表示する。
【００２４】
次に、図６は、情報処理装置１００上の表示言語に合わせて表示する処理動作を示したフローチャートである。
情報処理装置１００の少なくとも１つから画像形成装置２００を起動させ（ステップＳ２００）、画像形成装置２００は、通信回線網３００、通信制御部２０４を介して機器情報管理部２０８が情報処理装置１００で設定されている表示言語を検知する（ステップＳ２０１）。機器情報管理部２０８は、記憶部２０３に記憶されている図４（ａ）に示すテーブルを参照し、表示言語に対応する名称を取得し、取得した名称を通信制御部２０４、ＬＡＮ２０５を介して、情報処理装置１００へ送信する（ステップＳ２０２）。情報処理装置１００は、画像形成装置２００から取得した、表示言語に対応する名称を表示部１０１へ表示する。
【００２５】
図７は、登録されているユーザＩＤでログオンした場合に、ユーザＩＤに対応する言語から名称を取得する処理動作を示したフローチャートである。
まず、ユーザＩＤを画像形成装置２００へ登録する（ステップＳ３００）。画像形成装置２００は、登録するユーザＩＤを記憶部２０３が有する図４（ｂ）に示すテーブルにユーザＩＤとユーザＩＤに対応つけられた言語を記憶する。次に、ユーザは、登録されたユーザＩＤで画像形成装置２００へログインし（ステップＳ３０１）、画像形成装置２００は、ユーザＩＤから図４（ｂ）に示すテーブルを参照してユーザＩＤに対応する表示言語を特定する（ステップＳ３０２）。次に、特定された表示言語から図４（ａ）に示すテーブルを参照し、表示言語に対応する名称を取得し（ステップＳ３０３）、取得した名称を操作部２０１が有する操作パネルに表示する（ステップＳ３０４）。
【００２６】
図８は、ＩＰアドレスに対応したユーザＩＤから名称を取得する処理動作を示したフローチャートである。
まず、情報処理装置１００が画像形成装置２００を起動させる（ステップＳ４００）。画像形成装置２００は、情報処理装置１００のＩＰアドレスを検知し（ステップＳ４０１）、画像形成装置２００は、記憶部２０３に記憶されている図４（ｃ）に示すテーブルを参照し、検知したＩＰアドレスに対応するユーザＩＤを特定する（ステップＳ４０２）。次に、特定されたユーザＩＤからテーブル２を参照し、ユーザＩＤに対応する表示言語を特定する（ステップＳ４０３）。次に、特定された表示言語からテーブル１を参照し、表示言語に対応する名称を情報処理装置１００へ返す（ステップＳ４０４）。情報処理装置１００は、画像形成装置２００から取得した名称を表示部１０１へ表示する（ステップＳ４０５）。
【００２７】
以上の説明から、本実施形態では、ユーザが紙種の名前を任意に変更でき、かつひとつの紙種ＩＤに複数の名前を付けることを可能にすることで、ユーザの使用用途に応じた適切な紙種をサポートし、なおかつユーザや使用環境に応じて名前の切り替えを可能とする。
【図面の簡単な説明】
【００２８】
【図１】本実施形態における複数の情報処理装置と接続された画像形成装置を示した図である。
【図２】本実施形態における画像形成装置の構成を示した図である。
【図３】本実施形態における情報処理装置の構成を示した図である。
【図４】画像形成装置が有するテーブルを示した図である。
【図５】本実施形態における画像形成装置の処理動作を示したフローチャートである。
【図６】本実施形態における画像形成装置の処理動作を示したフローチャートである。
【図７】本実施形態における画像形成装置の処理動作を示したフローチャートである。
【図８】本実施形態における画像形成装置の処理動作を示したフローチャートである。
【符号の説明】
【００２９】
１００    情報処理装置
１０１    表示部
１０２    通信制御部
１０３    表示制御部
１０４    印刷データ作成部
２００    画像形成装置
２０１    操作部
２０２    ユーザインタフェース制御部
２０３    記憶部
２０４    通信制御部
２０５    ＬＡＮ
２０６    印刷制御部
２０７    画像形成制御部
２０８    機器情報管理部
３００    通信回線網
【図１】
2007245429.tif 000003
【図２】
2007245429.tif 000004
【図３】
2007245429.tif 000005
【図４】
2007245429.tif 000006
【図５】
2007245429.tif 000007
【図６】
2007245429.tif 000008
【図７】
2007245429.tif 000009
【図８】
2007245429.tif 000010